(57)【特許請求の範囲】
【請求項１】
旗章の図案確認用の曲面を有する形状保持体に、旗竿への取付手段を設け、
前記形状保持体が、正面側に円錐状物を縦断することで得られる曲面状部分を有するものであることを特徴とする、旗章形状保持具。
【請求項２】
旗竿への取付手段が、内側面に滑止部材を配置した面ファスナーによる取付バンドであることを特徴とする、請求項１に記載の旗章形状保持具。
【発明の詳細な説明】
【技術分野】
【０００１】
本発明は、旗章形状保持具に関し、例えば、屋内等の無風状態下で垂直、または垂直に近い角度で設置された旗竿等に対して、国旗等の旗章の類いを掲げる際に用いる旗章形状保持具に関する。
【背景技術】
【０００２】
屋内に旗章を掲げる際は、旗竿を斜めに設置して、そこに旗章を取り付けることが多いと思われるが、実際、各国大使館、行政、立法府の会見場等に於いて、また、海外の政府が主催する会見場、レセプション会場などに於いては、ほぼ垂直に設置された旗竿に、皺が入るに任せた状態で旗章が掲げられていることが多い。
すなわち、屋内で旗章形状保持具を用いて旗章を掲げる場合は、一般に、図６に示すように、ほぼ垂直に設置された旗竿３に対して、国旗等である旗章２を上部取付紐２１及び下部取付紐２２で縛りつけて取り付けるのが実情である。
【０００３】
しかしながらこのような状態だと、旗章２の表面には幾重にも皺が入り、また、旗章２の一部が重なり合うことになり、正しい形状の図案が確認しづらく、見苦しい状態になる。
従来、このような状態の国旗を、図案が正しく確認できるようにする具体的手段は、提案されていない。
【０００４】
店舗内で用いるフラッグについて、垂れ下がりによって形状が保持できない課題を解決するために、特許文献１に示す手段が知られている。
該特許文献１には、フラッグの一側縁の基から向かって直線的に延びる直線挿入部とその先端部より、横方向にウェーブ状に延びる曲線挿入部をバイアステープ加工による袋形状とし、そこにウエーブ状フラッグ支持棒を挿入することによりフラッグ形状を保持し、フラッグ支持棒先端と、前記フラッグ基部を結ぶ曲線形状を特徴とするフラッグが開示されている。
すなわち、フラッグの上端側を袋形状とし、そこに支持棒を挿入することで、形状を保持することで、垂れ下がりを防止することが提案されている。
【発明の概要】
【発明が解決しようとする課題】
【０００５】
しかしながら、旗竿の上下二箇所に縛り付けることで設置する旗章について、旗章の上端側に支持手段を別に設けた場合には、支持手段を設ける手間がかかる上に、見た目が不自然なものとなり好ましくない。
そのため、屋内等の無風状態下でほぼ垂直状態で設置された旗竿に対して旗章を掲げた場合でも、一部が重なり合うことなく、しかも自然な形で正しい形状の図案が確認できる手段が求められていた。
【課題を解決するための手段】
【０００６】
本発明の課題を解決するための手段は、下記のとおりである。
【０００７】
第１に、旗章の皺を排除し図案確認を容易にするための曲面状部分を有する透明素材による形状保持体に、旗竿への取付手段を設けたことを特徴とする、旗章形状保持具。
ここで用いる透明素材による形状保持体としては、ポリカーボネート板、ペット板、塩ビ板等を用いることができる。
また、透明素材で形成することで、旗章の素材が極薄手の布地等で作られており、旗章の皺を排除し図案確認を容易にするための曲面が透明以外の色を持った素材で作られていると、その色が旗章の表に透けて見えてしまうという課題を解決することができ、特に日の丸等白地部分の多い旗章では、背面の素材に色があると容易に透けて見えてしまうという課題を解決することができる。
第２に、形状保持体が、正面側に円錐状物を縦断することで得られる曲面状部分を有するものであることを特徴とする、上記第１に記載の旗章形状保持具。
ここでの形状保持体は、全体を円錐状とすると厚みがありすぎ、旗章が前へ飛び出しすぎて不自然となるため、正面側となる円錐状物を縦断することで得られる曲面状部分と、旗竿への取付側となる平面状部分とを組み合わせて形成することが望ましい。
この場合の円錐状物は、旗章の皺を排除し図案確認を容易にするための曲面状部分を形成するものであればよく、円錐状に円錐台の形状も含まれる。
第３に、旗竿への取付手段が、内側面に滑止部材を配置した面ファスナーによる取付バンドであることを特徴とする、上記第１または第２に記載の旗章形状保持具。
第４に、形状保持体が、透明シート材で形成されていることを特徴とする、上記１〜３の何れか一つに記載の旗章形状保持具。
第５に、形状保持体が、空気で膨らむ透明材によって形成されていることを特徴とする、上記第１〜３の何れか一つに記載の旗章形状保持具。
ここで、空気で膨らむ透明素材とは、例えば浮輪等のものを採用することができ、旗竿への取付側となる平面状部分は平面板で規制することで形成することができる。
第６に、形状保持体の表面に、旗章の外れ防止用の滑り止め素材を取り付けたことを特徴とする、上記第１〜第５の何れか一つに記載の旗章形状保持具。
ここで、滑り止め素材は、摩擦係数が高く旗章のズレを防止できるもの、弱粘着性のあるもの等で形成することができ、透明素材によるものが好ましい。
【発明の効果】
【０００８】
本発明の旗章形状保持具によると、予め旗竿に取り付けた後で、そこに旗章を通常と同様に上下二箇所の紐で縛りつける等の手段により取り付け、該旗章を形状保持体の上に覆うようにするだけで、屋内等の無風状態下において、一部が重なることなく自然な形で設置でき、中央付近に皺ができず、正しい形状の図案が容易に確認でき、見た目も美しく旗章を掲げることが可能となる。
【図面の簡単な説明】
【０００９】
【図１】本発明の旗章形状保持具の側面図である。
【図２】本発明の旗章形状保持具の正面図である。
【図３】本発明の旗章形状保持具の背面図である。
【図４】本発明の旗章形状保持具の斜視図である。
【図５】本発明の旗章形状保持具の使用状態を示す説明図である。
【図６】従来の旗章の取付状態を示す説明図である。
【図７】本発明の旗章形状保持具の実際の使用状態を示す説明図である。
【図８】従来の旗章の実際の状態を示す説明図である。
【発明を実施するための形態】
【００１０】
本実施形態の旗章形状保持具１は、図１に示すように、旗章の皺を排除し図案確認を容易にするための曲面状部分を有する透明素材による形状保持体１０に、旗竿３への取付手段として、上部取付バンド１２と下部取付バンド１３とを設けたものである。
【００１１】
上部取付バンド１２及び下部取付バンド１３は、内側面にゴムシートによる滑止部材を配置した面ファスナーにより構成したものであり、旗竿３の太さに対応して、取り付け及び取り外しを容易にすることができるものである。
【００１２】
符号１４は、上部取付バンド１２と共に取り付けた落下防止紐であり、何かの要因で上部取付バンド１２及び下部取付バンド１３が外れた場合であっても、形状保持体１０が落下することを防止することができるものである。
【００１３】
図１に示すように、形状保持体１０は、透明なポリカーボネート板によるシート材を丸め、正面側を、円錐状物を縦断することで得られる曲面状部分として形成すると共に、旗竿への取付側となる背面側を平面状部分として形成し、該曲面状部分と平面状部分とを連続的に組み合わせることで形成したものである。
このように、曲面状部分と平面状部分とを組み合わせることで、全体を円錐状とした場合に、厚みがありすぎ、旗章が前へ飛び出しすぎて不自然となるという課題の解決ができる。
【００１４】
図３に示すように、平面状部分における重なり部分は、一定の間隔毎に孔が開けられ、各々、止具１１で固定されている。
なお、図示は省略するが、重なり部分に孔を開けることなく、接着剤や熱処理等によっても固定することができる。
【００１５】
本発明に係る旗章形状保持具１は、図４に示すように、予め形状保持体１０を、上部取付バンド１２及び下部取付バンド１３で取り付けると共に、念のため落下防止紐１４も用いて取り付ける。
そして、図５に示すように、旗章２を通常と同様に、上下二箇所について、上部取付紐２１及び下部取付紐２２で縛りつけることで取り付ける。
ここで、旗章２を形状保持体１０の上に覆うようにするだけで、屋内等の無風状態下において、図５に示すように、中央付近に皺ができず、一部が重なることなく自然な形で設置でき、正しい形状の図案が容易に確認でき、見た目にも美しく旗章２を掲げることが可能となる。
【符号の説明】
【００１６】
１  旗章形状保持具
２  旗章
３  旗竿
１０  形状保持体
１１  止具
１２  上部取付バンド
１３  下部取付バンド
１４  落下防止紐
２１  上部取付紐
２２  下部取付紐
【先行技術文献】
【特許文献】
【００１７】
【特許文献１】登録実用新案第３１５４９９２号公報
【図１】
0006536875.tif 000002
【図２】
0006536875.tif 000003
【図３】
0006536875.tif 000004
【図４】
0006536875.tif 000005
【図５】
0006536875.tif 000006
【図６】
0006536875.tif 000007
【図７】
0006536875.tif 000008
【図８】
0006536875.tif 000009